(57)【要約】【課題】２つの機器を連携させて情報を表示させることと、２つの機器を単独で機能させて各機器に情報を表示させることとを容易に相互に切り換えることのできる「機器システム」を提供するものである。【解決手段】第１表示部及び第１操作部を有する第１情報処理機器と、第２表示部及び第２操作部を有する第２情報処理機器と接続され、拡張表示モードと、個別表示モードとのいずれかにて画像表示を行う機器システムであって、前記拡張表示モードにおいて、前記第１操作部及び前記第２操作部での対となる操作にて構成される第１操作がなされたときに、前記個別表示モードに切換える第１モード切換え手段（Ｓ２３）と、前記個別表示モードにおいて、前記第１操作部及び前記第２操作部での対となる操作にて構成される第２操作がなされたときに、拡張表示モードに切換える第２モード切換え手段（Ｓ３１）とを有する構成となる。【選択図】図２
2014219600.tif 000002
【特許請求の範囲】
【請求項１】
第１表示部及び第１操作部を有する第１情報処理機器と、第２表示部及び第２操作部を有する第２情報処理機器とが相互に情報の送受がなされるように接続され、前記第１情報処理機器での制御のもと、前記第１表示部に画像を表示させるとともに前記第２情報処理機器に前記第２表示部での画像表示を行わせる拡張表示モードと、前記第１情報処理機器での制御のもと前記第１表示部に画像を表示させるとともに、前記第２情報処理機器での制御のもと前記第２表示部に画像を表示させる個別表示モードとのいずれかにて画像表示を行う機器システムであって、
前記拡張表示モードにおいて、前記第１操作部及び前記第２操作部での対となる操作にて構成される第１操作がなされたときに、前記拡張表示モードから前記個別表示モードに切換える第１モード切換え手段と、
前記個別表示モードにおいて、前記第１操作部及び前記第２操作部での対となる操作にて構成され、前記第１操作と異なる、第２操作がなされたときに、前記個別表示モードから前記拡張表示モードに切換える第２モード切換え手段とを有する機器システム。
【請求項２】
前記第１操作部及び前記第２操作部のそれぞれは、タッチ操作パネルを有し、
前記第１操作は、前記第１操作部のタッチ操作パネル及び前記第２操作部のタッチ操作パネルにおいて相互に遠ざかる方向の対となるスライドタッチ操作にて構成され、
前記第２操作は、前記第１操作部のタッチ操作パネル及び前記第２操作部のタッチ操作パネルにおいて相互に近づく方向の対となるスライドタッチ操作にて構成される請求項１記載の機器システム。
【請求項３】
前記第２情報処理機器の前記第１情報処理機器との相対的な位置関係を表す相対位置情報を取得する手段と、
前記相対位置情報を用いて、前記第１操作部のタッチ操作パネル及び前記第２操作部のタッチ操作パネルにおいて相互に遠ざかる方向の対となるスライドタッチ操作がなされたか否かを判定する第１判定手段と、
前記相対位置情報を用いて、前記第１操作部のタッチ操作パネル及び前記第２操作部のタッチ操作パネルにおいて相互に近づく方向の対となるスライドタッチ操作がなされたか否かを判定する第２判定手段とを有し、
前記第１モード切換え手段は、前記第１判定手段が前記第１操作部のタッチ操作パネル及び前記第２操作部のタッチ操作パネルにおいて相互に遠ざかる方向の対となるスライドタッチ操作がなされたと判定したときに、前記個別表示モードに切換え、
前記第２モード切換え手段は、前記第２判定手段が前記第１操作部のタッチ操作パネル及び前記第２操作部のタッチ操作パネルにおいて相互に近づく方向の対となるスライドタッチ操作がなされたと判定したときに、前記拡張表示モードに切換える請求項２記載の機器システム。
【請求項４】
前記拡張表示モードにおいて、前記第１表示部及び前記第２表示部が分担して一連の画像を表示する請求項１乃至３のいずれかに記載の機器システム。
【請求項５】
前記第１情報処理機器は車載機器であり、前記第２情報処理機器は携帯情報処理機器である請求項１乃至４のいずれかに記載の機器システム。
【請求項６】
第１表示部及び第１操作部を有し、第２表示部及び第２操作部を有する外部機器と相互に情報の送受がなされるように接続される情報処理機器であって、
前記第１表示部に画像を表示させるとともに、前記外部機器に前記第２表示部での画像表示を行わせる拡張表示モードと、前記外部機器の前記第２表示部での画像表示に係らず、前記第１表示部に画像を表示させる個別表示モードとのいずれかにて画像表示を行い、
前記外部機器の前記第２操作部での操作を表す外部操作情報を取得する外部操作情報取得手段と、
前記拡張表示モードにおいて、前記第１操作部での操作と、前記外部操作情報取得手段にて取得される前記外部操作情報にて表される操作とが対になって予め定めた第１操作を構成するときに、前記拡張表示モードから前記個別表示モードに切換える第１モード切換え手段と、
前記個別表示モードにおいて、前記第１操作部での操作と、前記外部操作情報取得手段にて取得される前記外部操作情報にて表される操作とが対になって予め定めた第２操作を構成するときに、前記個別表示モードから前記拡張表示モードに切換える第２モード切換え手段とを有する情報処理機器。
【請求項７】
前記第１操作部は及び前記外部機器の前記第２操作部のそれぞれは、タッチ操作パネルを有し、
前記第１操作は、前記第１操作部及び前記第２操作部の前記タッチ操作パネルにおいて相互に遠ざかる方向の対となるスライドタッチ操作にて構成され、
前記第２操作は、前記第１操作部及び前記第２操作部の前記タッチ操作パネルにおいて相互に近づく方向の対となるスライドタッチ操作にて構成される請求項６記載の情報処理機器。
【請求項８】
前記外部機器の当該情報処理機器との相対的位置関係を表す相対位置情報を取得する手段と、
前記相対位置情報を用いて、前記第１操作部の前記タッチ操作パネルでの操作と、前記外部操作情報取得手段にて取得される前記外部操作情報にて表される操作とが、前記第１操作部及び前記第２操作部の前記タッチ操作パネルにおいて相互に遠ざかる方向の対となるスライドタッチ操作であるか否かを判定する第１判定手段と、
前記相対位置情報を用いて、前記第１操作部の前記タッチ操作パネルでの操作と、前記外部操作情報取得手段にて取得される前記外部操作情報にて表される操作とが、前記第１操作部及び前記第２操作部の前記タッチ操作パネルにおいて相互に近づく方向の対となるスライドタッチ操作であるか否かを判定する第２判定手段とを有し、
前記第１モード切換え手段は、前記第１判定手段が、前記第１操作部の前記タッチ操作パネルでの操作と、前記外部操作情報取得手段にて取得される前記外部操作情報にて表される操作とが、前記第１操作部及び前記第２操作部の前記タッチ操作パネルにおいて相互に遠ざかる方向の対となるスライドタッチ操作であると判定したときに、前記個別表示モードに切換え、
前記第２モード切換え手段は、前記第２判定手段が、前記第１操作部の前記タッチ操作パネルでの操作と、前記外部操作情報取得手段にて取得される前記外部操作情報にて表される操作とが、前記第１操作部及び前記第２操作部の前記タッチ操作パネルにおいて相互に近づく方向の対となるスライドタッチ操作であると判定したときに、前記拡張表示モードに切換える請求項７記載の情報処理機器。
【請求項９】
前記拡張表示モードにおいて、前記第１表示部及び前記外部機器の第２表示部が分担して一連の画像を表示するよう制御する請求項６乃至８のいずれかに記載の情報処理機器。
【請求項１０】
前記外部機器としての携帯情報処理機器と相互に情報の送受がなされるように接続される車載機器である請求項６乃至９のいずれかに記載の情報処理機器。
【発明の詳細な説明】
【技術分野】
【０００１】
本発明は、２つの機器が相互に情報の送受が可能なように接続された機器システム、及び外部機器と相互に情報の送受が可能なように接続される情報処理機器に関する。
【背景技術】
【０００２】
従来、特許文献１に記載される複数機器画像表示制御システム（機器システム）が知られている。このシステムでは、スマートフォン等の携帯情報機器とナビゲーション装置等の車載機器とがブルートゥース等の通信システムにより接続され、相互に情報の送受を行う。これら相互に情報の送受を行う携帯情報機器と車載機器との連携により、携帯情報機器の表示部と車載機器の表示部とに種々の画像表示がなされる。このようなシステムによれば、携帯情報機器の表示部及び車載機器との表示部により多くの関連した情報を表示することができる。
【先行技術文献】
【特許文献】
【０００３】
【特許文献１】特開２０１１−２５９２５３号公報
【発明の概要】
【発明が解決しようとする課題】
【０００４】
ところで、上述した携帯情報機器と車載機器のように本来独立した２つの機器から構成されるシステムでは、それらを連携させてより多くの情報を表示させることと、それら２つの機器のそれぞれを単独で機能させて異種の情報を各機器に表示させることを考慮することが必要である。そして、２つの機器を連携させてより多くの情報を表示させるモードと、２つの機器を単独で機能させて各機器に異種の情報を表示させるモードとが容易な操作にて相互に切り換えられることが好ましい。
【０００５】
本発明は、このような事情に鑑みてなされたもので、２つの機器を連携させて情報を表示させることと、２つの機器を単独で機能させて各機器に情報を表示させることとを容易に相互に切り換えることのできる機器システムを提供するものである。
【０００６】
また、そのような機器システムの一部を構成する情報処理機器を提供するものである。
【課題を解決するための手段】
【０００７】
本発明に係る機器システムは、第１表示部及び第１操作部を有する第１情報処理機器と、第２表示部及び第２操作部を有する第２情報処理機器とが相互に情報の送受がなされるように接続され、前記第１情報処理機器での制御のもと、前記第１表示部に画像を表示させるとともに前記第２情報処理機器に前記第２表示部での画像表示を行わせる拡張表示モードと、前記第１情報処理機器での制御のもと前記第１表示部に画像を表示させるとともに、前記第２情報処理機器での制御のもと前記第２表示部に画像を表示させる個別表示モードとのいずれかにて画像表示を行う機器システムであって、前記拡張表示モードにおいて、前記第１操作部及び前記第２操作部での対となる操作にて構成される第１操作がなされたときに、前記拡張表示モードから前記個別表示モードに切換える第１モード切換え手段と、前記個別表示モードにおいて、前記第１操作部及び前記第２操作部での対となる操作にて構成され、前記第１操作と異なる、第２操作がなされたときに、前記個別表示モードから前記拡張表示モードに切換える第２モード切換え手段とを有する構成となる。
【０００８】
このような構成によれば、第１表示部及び第１操作部を有する第１情報処理機器と、第２表示部及び第２操作部を有する第２情報処理機器とが相互に情報の送受がなされるように接続される。そして、前記第１情報処理機器での制御のもと、前記第１表示部に画像を表示させるとともに前記第２情報処理機器に前記第２表示部での画像表示を行わせる拡張表示モードにおいて、前記第１操作部及び前記第２操作部での対となる操作にて構成される第１操作がなされると、前記拡張表示モードから、前記第１情報処理機器での制御のもと前記第１表示部に画像を表示させるとともに、前記第２情報処理機器での制御のもと前記第２表示部に画像を表示させる個別表示モードに切換えられる。また、前記個別表示モードにおいて、記第１操作部及び前記第２操作部での対となる操作にて構成される第２操作がなされると、前記個別表示モードから前記拡張表示モードに切換えられる。
【０００９】
本発明に係る機器システムにおいて、前記第１操作部及び前記第２操作部のそれぞれは、タッチ操作パネルを有し、前記第１操作は、前記第１操作部の前記タッチ操作パネル及び前記第２操作部の前記タッチ操作パネルにおいて相互に遠ざかる方向の対となるスライドタッチ操作にて構成され、前記第２操作は、前記第１操作部及び前記第２操作部の前記タッチ操作パネルにおいて相互に近づく方向の対となるスライドタッチ操作にて構成される、とすることができる。
【００１０】
このような構成により、拡張表示モードにおいて、第１情報処理装置の第１操作部のタッチ操作パネル及び第２情報処理装置の第２操作部のタッチ操作パネルにおいて相互に遠ざかる方向の対となるスライドタッチ操作がなされると、第１操作がなされたとして、前記個別表示モードに切換えられる。また、個別表示モードにおいて、前記第１操作部のタッチ操作パネル及び前記第２操作部の前記タッチ操作パネルにおいて相互に近づく方向の対となるスライドタッチ操作がなされると、第２操作がなされたとして、前記拡張表示モードに切換えられる。
【００１１】
本発明に係る機器システムにおいて、前記第２情報処理機器の前記第１情報処理機器との相対的な位置関係を表す相対位置情報を取得する手段と、前記相対位置情報を用いて、前記第１操作部のタッチ操作パネル及び前記第２操作部のタッチ操作パネルにおいて相互に遠ざかる方向の対となるスライドタッチ操作がなされたか否かを判定する第１判定手段と、前記相対位置情報を用いて、前記第１操作部のタッチ操作パネル及び前記第２操作部のタッチ操作パネルにおいて相互に近づく方向の対となるスライドタッチ操作がなされたか否かを判定する第２判定手段とを有し、前記第１モード切換え手段は、前記第１判定手段が前記第１操作部のタッチ操作パネル及び前記第２操作部のタッチ操作パネルにおいて相互に遠ざかる方向の対となるスライドタッチ操作がなされたと判定したときに、前記個別表示モードに切換え、前記第２モード切換え手段は、前記第２判定手段が前記第１操作部のタッチ操作パネル及び前記第２操作部のタッチ操作パネルにおいて相互に近づく方向の対となるスライドタッチ操作がなされたと判定したときに、前記拡張表示モードに切換える構成とすることができる。
【００１２】
このような構成により、第２情報処理機器の第１情報処理機器との相対的な位置関係を表す相対位置情報を用いて、前記第１情報処理機器の第１操作部のタッチ操作パネル及び前記第２情報処理機器の第２操作部の前記タッチ操作パネルにおいて相互に遠ざかる方向の対となるスライドタッチ操作がなされたか否かが判定される。そして、拡張表示モードにおいて、前記２つのタッチ操作パネルにおいて前記相互に遠ざかる方向の対となるスライドタッチ操作がなされたと判定されときに、その拡張表示モードから個別表示モードに切換えられる。また、前記相対位置情報を用いて、前記第１操作部のタッチ操作パネル及び前記第２操作部のタッチ操作パネルにおいて相互に近づく方向の対となるスライドタッチ操作がなされたか否かが判定される。そして、個別表示モードにおいて、前記２つのタッチ操作パネルにおいて前記相互に近づく方向の対となるスライドタッチ操作がなされたと判定されたときに、その個別表示モードから拡張表示モードに切換えられる。
【００１３】
本発明に係る機器システムでは、前記拡張表示モードにおいて、前記第１表示部及び前記第２表示部が分担して一連の画像を表示する構成とすることができる。
【００１４】
このような構成により、このような構成により、拡張表示モードにおいて、第１情報処理機器が第１表示部での画像表示を制御するとともに第２情報処理機器に第２表示部での画像表示を行わせるよう制御することにより、一連の画像が、前記第１情報処理機器の第１表示部と第２情報処理機器の第２表示部とに分担して表示される。
【００１５】
本発明に係る機器システムでは、前記第１情報処理機器を車載機器とし、前記第２情報処理機器は携帯情報処理機器とすることができる。
【００１６】
このような構成により、車載機器と携帯情報処理機器とが相互に情報の送受が可能なように接続されて機器システムが構成される。そして、車載機器の制御のもと、当該車載機器の第１表示部に画像を表示させるとともに携帯情報処理機器に第２表示部での画像を行わせる拡張表示モードにおいて、車載機器の第１操作部及び携帯情報処理機器の第２操作部での対となる操作にて構成される第１操作がなされると、前記拡張処理モードから、車載機器での制御のもと第１表示部に画像を表示させるとともに、携帯情報処理機器での制御のもと第２表示部に画像を表示させる個別表示モードに切換えられる。また、前記個別表示モードにおいて、車載機器の第１操作部及び携帯情報処理機器の第２操作部での対となる操作にて構成される第２操作がなされると、前記個別表示モードから前記拡張表示モードに切換えられる。
【００１７】
本発明に係る情報処理機器は、第１表示部及び第１操作部を有し、第２表示部及び第２操作部を有する外部機器と相互に情報の送受がなされるように接続される情報処理機器であって、前記第１表示部に画像を表示させるとともに、前記外部機器に前記第２表示部での画像表示を行わせる拡張表示モードと、前記外部機器の前記第２表示部での画像表示に係らず、前記第１表示部に画像を表示させる個別表示モードとのいずれかにて画像表示を行い、前記外部機器の前記第２操作部での操作を表す外部操作情報を取得する外部操作情報取得手段と、前記拡張表示モードにおいて、前記第１操作部での操作と、前記外部操作情報取得手段にて取得される前記外部操作情報にて表される操作とが対になって予め定めた第１操作を構成するときに、前記拡張表示モードから前記個別表示モードに切換える第１モード切換え手段と、前記個別表示モードにおいて、前記第１操作部での操作と、前記外部操作情報取得手段にて取得される前記外部操作情報にて表される操作とが対になって予め定めた第２操作を構成するときに、前記個別表示モードから前記拡張表示モードに切換える第２モード切換え手段とを有する構成となる。
【００１８】
このような構成により、第１表示部及び第１操作部を有する情報処理機器と、第２表示部及び第２操作部を有する外部機器とが相互に情報の送受がなされるように接続される。情報処理機器は、第１表示部に画像を表示させるとともに、外部機器に第２表示部での画像表示を行わせる拡張表示モードにおいて、第１操作部での操作と、取得した外部操作情報で表される前記外部機器の第２操作部での操作とが対になって予め定めた第１操作を構成するときに、前記拡張表示モードを個別表示モードに切換える。情報処理機器は、この個別表示モードにおいて、前記外部機器の第２表示部での画像表示に係らず、第１表示部に画像を表示させる。また、情報処理機器は、個別表示モードにおいて、第１操作部での操作と、取得した外部操作情報で表される前記外部機器の第２操作部での操作とが対となって予め定めた第２操作を構成するときに、前記個別表示モードを拡張表示モードに切換える。
【００１９】
本発明に係る情報処理機器において、前記第１操作部及び前記外部機器の前記第２操作部のそれぞれは、タッチ操作パネルを有し、前記第１操作は、前記第１操作部及び前記第２操作部の前記タッチ操作パネルにおいて相互に遠ざかる方向の対となるスライドタッチ操作にて構成され、前記第２操作は、前記第１操作部及び前記第２操作部の前記タッチ操作パネルにおいて相互に近づく方向の対となるスライドタッチ操作にて構成される、とすることができる。
【００２０】
このような構成により、拡張表示モードにおいて、第１操作部のタッチ操作パネルでの操作と、取得した外部操作情報で表される外部機器の第２操作部のタッチ操作パネルでの操作とが、相互に遠ざかる方向の対となるスライドタッチ操作であるとき、第１操作がなされたとして、個別表示モードに切換えられる。また、個別表示モードにおいて、第１操作部のタッチ操作パネルでの操作と、取得した外部操作情報で表される前記外部機器の第２操作部のタッチ操作パネルでの操作とが、相互に近づく方向の対となるスライドタッチ操作であるとき、第２操作がなされたとして、拡張表示モードに切換えられる。
【００２１】
本発明に係る情報処理機器において、前記外部機器の当該情報処理機器との相対的位置関係を表す相対位置情報を取得する手段と、前記相対位置情報を用いて、前記第１操作部の前記タッチ操作パネルでの操作と、前記外部操作情報取得手段にて取得される前記外部操作情報にて表される操作とが、前記第１操作部及び前記第２操作部の前記タッチ操作パネルにおいて相互に遠ざかる方向の対となるスライドタッチ操作であるか否かを判定する第１判定手段と、前記相対位置情報を用いて、前記第１操作部の前記タッチ操作パネルでの操作と、前記外部操作情報取得手段にて取得される前記外部操作情報にて表される操作とが、前記第１操作部及び前記第２操作部の前記タッチ操作パネルにおいて相互に近づく方向の対となるスライドタッチ操作であるか否かを判定する第２判定手段とを有し、前記第１モード切換え手段は、前記第１判定手段が、前記第１操作部の前記タッチ操作パネルでの操作と、前記外部操作情報取得手段にて取得される前記外部操作情報にて表される操作とが、前記第１操作部及び前記第２操作部の前記タッチ操作パネルにおいて相互に遠ざかる方向の対となるスライドタッチ操作であると判定したときに、前記個別表示モードに切換え、前記第２モード切換え手段は、前記第２判定手段が、前記第１操作部の前記タッチ操作パネルでの操作と、前記外部操作情報取得手段にて取得される前記外部操作情報にて表される操作とが、前記第１操作部及び前記第２操作部の前記タッチ操作パネルにおいて相互に近づく方向の対となるスライドタッチ操作であると判定したときに、前記拡張表示モードに切換える構成とすることができる。
【００２２】
このような構成により、外部機器の当該情報処理機器との相対的な位置関係を表す相対位置情報を用いて、第１操作部のタッチ操作パネルでの操作と、取得した外部操作情報で表される外部機器の第２操作部のタッチ操作パネルでの操作とが２つのタッチ操作パネルにおいて相互に遠ざかる方向の対となるスライドタッチ操作であるか否かが判定される。そして、拡張表示モードにおいて、前記２つのタッチ操作パネルにおいて前記相互に遠ざかる方向の対となるスライドタッチ操作がなされたと判定されときに、その拡張表示モードから個別表示モードに切換えられる。また、前記相対位置情報を用いて、第１操作部のタッチ操作パネルでの操作と、取得した外部操作情報で表される外部機器の第２操作部のタッチ操作パネルでの操作とが２つのタッチ操作パネルにおいて相互に近づく方向の対となるスライドタッチ操作であるか否かが判定される。そして、個別表示モードにおいて、前記２つのタッチ操作パネルにおいて前記相互に近づく方向の対となるスライドタッチ操作がなされたと判定されたときに、その個別表示モードから拡張表示モードに切換えられる。
【００２３】
本発明に係る情報処理機器では、前記拡張表示モードにおいて、前記第１表示部及び前記外部機器の第２表示部が分担して一連の画像を表示するよう制御する構成とすることができる。
【００２４】
このような構成により、拡張表示モードにおいて、第１表示部での画像表示を制御するとともに外部機器に第２表示部での画像表示を行わせるよう制御することにより、一連の画像が、第１表示部と外部機器の第２表示部とに分担して表示される。
【００２５】
本発明に係る情報処理機器を、前記外部機器としての携帯情報処理機器と相互に情報の送受がなされるように接続される車載機器とすることができる。
【００２６】
このような構成により、第１表示部及び第１操作部を有する車載機器と、第２表示部及び第２操作部を有する携帯情報処理機器とが相互に情報の送受がなされるように接続される。車載機器は、第１表示部に画像を表示させるとともに、携帯情報処理機器に第２表示部での画像表示を行わせる拡張表示モードにおいて、第１操作部での操作と、取得した外部操作情報で表される前記携帯情報処理機器の第２操作部での操作とが対になって予め定めた第１操作を構成するときに、前記拡張表示モードを個別表示モードに切換える。車載機器は、この個別表示モードにより、前記携帯情報処理機器の第２表示部での画像表示に係らず、第１表示部に画像を表示させる。また、車載機器は、個別表示モードにおいて、第１操作部での操作と、取得した外部操作情報で表される前記外部機器の第２操作部での操作が対となって予め定めた第２操作を構成するときに、前記個別表示モードを拡張表示モードに切換える。
【発明の効果】
【００２７】
本発明によれば、相互に情報の送受がなされるように接続された第１情報処理機器と第２情報処理機器とにおいて、拡張表示モードであるときに、前記第１情報処理機器の第１操作部及び前記第２情報処理機器の第２操作部での対となる操作にて構成される第１操作がなされると、個別表示モードに切換えられ、また、個別表示モードであるときに、前記第１操作部及び前記第２操作部での対となる操作にて構成される第２操作がなされると、拡張表示モードに切換えられるので、２つの機器を連携させて情報を表示させることと、２つの機器を単独で機能させて各機器に情報を表示させることを容易に相互に切り換えることができる。
【００２８】
また、本発明によれば、２つの機器を連携させて情報を表示させることと、２つの機器を単独で機能させて各機器に情報を表示させることとを容易な操作にて相互に切り換えることのできる機器システムの一部を構成する情報機器装置を実現させることができる。
【図面の簡単な説明】
【００２９】
【図１】本発明の実施の形態に係る機器システムの構成例を示すブロック図である。
【図２】車載機器及び携帯端末の画像表示制御処理の手順（その１）を示すフローチャートである。
【図３】車載機器及び携帯端末の画像表示制御処理の手順（その２）を示すフローチャートである。
【図４】個別表示モードにおける車載機器の表示部での表示例を示す図である。
【図５】拡張表示モードにおける車載機器の表示部及び携帯端末の表示部それぞれでの表示例を示す図である。
【図６】拡張表示モードと個別表示モードとの切換え操作の一例を示す図である。
【図７】個別表示モードにおける車載機器の表示部及び携帯端末の表示部での表示例を示す図である。
【発明を実施するための形態】
【００３０】
本発明の実施の形態について図面を用いて説明する。
【００３１】
本発明の実施の一形態に係る機器システムは図１に示すように構成される。この機器システムは、ナビゲーション及びオーディオ・ビデオに係る車載機器と、スマートフォン等の携帯端末（携帯情報処理機器）とによって構成される。
【００３２】
図１において、この機器システムは、車載機器１００とスマートフォン等の携帯端末２０（携帯情報処理機器）とから構成される。車載機器１００は、コンピュータユニット（例えば、ＣＰＵ）によって構成される処理ユニット１１を有している。処理ユニット１１には、各種音源及び映像源（例えば、ＣＤ、ＤＶＤ等）の再生処理が可能なＡＶユニット１７、及び自車両のルート案内等のナビゲーション処理を行うナビゲーションユニット１８が接続されている。また、処理ユニット１１には、スピーカ１６と接続される出力回路１５が接続されており、処理ユニット１１の制御のもと、ＡＶユニット１７及びナビゲーションユニット１８の処理に基づいた音声信号が出力回路１５を介してスピーカ１６に提供され、スピーカ１６から前記音声信号に基づいた音が発せられる。更に、処理ユニット１１には、ＡＶユニット１７及びナビゲーションユニット１８にて利用される楽曲情報や地図情報等の各種情報が格納される記憶部１４（例えば、ハードディスクドライブ）と、ＬＣＤ等によって構成され、画像等の各種情報を表示する表示部１３（第１表示部）と、表示部１３上のタッチ操作パネルを含み、処理に対する指示や各種情報を入力するために用いられる操作部１２（第１操作部）とが接続されている。
【００３３】
また、車載機器１００は、例えばWifiの通信システムを利用して通信を行う通信ユニット１９を有している。通信ユニット１９は、処理ユニット１１の制御のもと、車室内に存在する、当該通信ユニット１９と同じシステム（Wifi）を利用する通信アプリケーションを搭載した携帯端末２０（携帯情報処理機器）と通信することができる。これにより、処理ユニット１１は、通信ユニット１９を介して携帯端末２０と相互に情報の送受を行ない得る。このように、車載機器１００（処理ユニット１１）と車室内にある携帯端末２０とが、Wifi等の通信システムを利用して情報の送受がなされるように接続され、機器システムが構成される。
【００３４】
携帯端末２０は、種々のアプリケーションを搭載し、選択されたアプリケーションに従った処理を実行する。また、携帯端末２０は、表示画面２０ａ（第２表示部）と、表示画面２０ａに重ねて設けられタッチ操作パネル（第２操作部）とを有している。そして、携帯端末２０では、画像表示に係る所定のアプリケーションが動作し、後述する、車載機器１００（処理ユニット１１）の制御に基づいた拡張表示モードでの画像処理に係る処理、及び個別表示モードでの画像表示に係る処理がなされる。
【００３５】
車載機器１００の処理ユニット１１、及び携帯端末２０は、図２及び図３に示す手順に従って、画像表示に係る処理を実行する。
【００３６】
図２において、処理ユニット１１は、初期設定に係る所定の処理を実行する（Ｓ１１）。この初期設定に係る処理では、例えば操作部１２での操作により入力される携帯端末２０と車載機器１００における表示部１３（表示画面に設けられたタッチ操作パネル）との相対的な位置関係を表す相対位置情報が取得され、所定のメモリに格納される。この相対位置情報は、例えば、携帯端末２０をセットするためのホルダの位置が表示部１３の右側、左側、上側及び下側のいずれであるかを表す。初期設定に係る処理が終了すると、処理ユニット１１は、個別表示モードで画像表示の制御を行う（Ｓ１２）。個別表示モードでは、処理ユニット１１は、例えば、記憶部１４に格納された地図情報、施設情報等やナビゲーションユニット１７からの情報に基づいて、表示部１３に、図４に示すように、道路地図、誘導すべき経路、自車両の位置を表すマーク等で構成されるナビゲーション画像ＩＮＡＶＩを表示させる。
【００３７】
処理ユニット１１は、前記個別表示モードでの画像表示に係る処理（Ｓ１２）を行いつつ、Wifiによる通信の接続要求が通信ユニット１９にて受信されたか否かを繰り返し判定している（Ｓ１３）。その過程で、車室内に進入してホルダにセットされた携帯端末２０からWifiによる通信の接続要求がなされると（Ｓ１３でＹＥＳ）、通信ユニット１９を介してその接続要求を取得した処理ユニット１１は、Wifiによる通信の接続許可を通信ユニット１９に送信させる（Ｓ１４）。そして、処理ユニット１１は、前記個別表示モードに代えて拡張表示モードを設定し（Ｓ１５）、通信ユニット１９を介して携帯端末２０に拡張表示モードの指示を行う。
【００３８】
拡張表示モードを設定すると、処理ユニット１１は、その拡張表示モードでの画像表示に係る処理を行う（Ｓ１６）。また、車載機器１００（通信ユニット１９）から送信される前記拡張表示モードの指示を受信した携帯端末２０は、画像表示に係るアプリケーションを起動させる。そして、その画像表示に係るアプリケーションが動作する携帯端末２０では、拡張表示モードが設定され（Ｓ１１０）、その拡張表示モードでの画像表示に係る処理が行われる（Ｓ１２０）。具体的には、処理ユニット１１の制御のもと、一連のナビゲーション画像ＩＮＡＶＩの比較的広い部分を表す画像データに基づいて表示部１３に部分ナビゲーション画像ＩＮＡＶＩ（１）が表示され、前記一連のナビゲーション画像ＩＮＡＶＩの残り部分を表す画像データ及び制御情報が通信ユニット１９を介して携帯端末２０に送信される。そして、携帯端末２０では、受信した制御情報及び画像データに基づいて、表示画面２０ａに前記一連のナビゲーション画像ＩＮＡＶＩの残りの部分に対応した部分ナビゲーション画像ＩＮＡＶＩ（２）が表示される。これにより、例えば、図５に示すように、車載機器１００の表示部１３と携帯端末２０の表示画面２０ａとが、一体となって、２つの部分ナビゲーション画像ＩＮＡＶＩ（１）、ＩＮＡＶＩ（２）からなる一連のナビゲーション画像ＩＮＡＶＩを分担して表示する。このような拡張表示モードにより、より広い範囲の地域を表し得るナビゲーション画像ＩＮＡＶＩを乗員に提供することができる。
【００３９】
図２に戻って、上述したような拡張表示モードでの画像表示に係る処理を行っている車載機器１００の処理ユニット１１は、携帯端末２０とのWifiによる通信が切断していないことを確認しつつ（Ｓ１７でＮＯ）、操作部１２（タッチ操作パネル）にてスライドタッチ操作がなされるか否かを繰り返し判定している（Ｓ１８）。その過程で、操作部１２（タッチ操作パネル）にてスライドタッチ操作がなされると（Ｓ１８でＹＥＳ）、処理ユニット１１は、操作部１２（タッチ操作パネル）からの操作信号に基づいてそのスライド操作方向を演算する（Ｓ１９）。
【００４０】
一方、携帯端末２０は、表示画面２０ａに設けられたタッチ操作パネルでの操作がなされる毎に、その操作を表す操作情報（外部操作情報）を車載機器１００（通信ユニット１９）に向けて送信する。そして、車載機器１００の処理ユニット１１は、通信ユニット１９を介して携帯端末２０からスライド操作に係る操作情報が送られてきたか否かを判定しており（Ｓ２０）、携帯端末２０からそのスライド操作に係る操作情報を通信ユニット１９を介して取得すると（Ｓ２０でＹＥＳ）、その操作情報に基づいて携帯端末２０の表示画面２０ａ上でのスライドタッチ操作の操作方向を演算する（Ｓ２１）。そして、処理ユニット１１は、前記操作部１２（タッチ操作パネル）でのスライドタッチ操作の操作方向（Ｓ１９で得られる）と、携帯端末２０から取得した操作情報から得られるスライドタッチ操作の操作方向（Ｓ２２で得られる）と、初期設定の処理（Ｓ１１）にて得られた相対位置情報とに基づいて、操作部１２（タッチ操作パネル）及び携帯端末２０の表示画面２０ａ（タッチ操作パネル）上において、例えば、図６の白抜き実線矢印で示すように、親指と中指による相互に遠ざかる方向の対となるスライドタッチ操作である引き離し操作（第１操作）がなされたか否かを判定する（Ｓ２２：第１判定手段）。
【００４１】
この引き離し操作がなされると（Ｓ２２でＹＥＳ）、処理ユニット１１は、個別表示モードを設定し、即ち、前記拡張表示モードを個別表示モードに切換え（Ｓ２３：第１モード切換え手段）、その個別表示モードの指示を通信ユニット２０を介して携帯端末２０に送る。携帯端末２０は、車載機器１００（通信ユニット１９）からの個別表示モードの指示を受信すると、個別表示モードを設定する、即ち、前記拡張表示モードを個別表示モードに切換える（Ｓ１３０）。
【００４２】
このようにして、車載機器１００及び携帯端末２０（機器システム）において拡張表示モードから個別表示モードに切換えられると、図３に示す処理に移行して、車載機器１００の処理ユニット１１及び携帯端末２０の双方において、個別表示モードでの画像表示に係る処理が行われる（Ｓ２４、Ｓ１４０）。その結果、車載機器１００の処理ユニット１１は、携帯端末２０に対して画像データ及び制御情報を送ることなく、携帯端末２０の表示画面２０ａでの画像表示に係らず、独自の画像を表示部１３に表示させる。例えば、図７に示すように、車載機器１００の表示部１３には、ナビゲーション画像ＩＮＡＶＩが表示される。一方、携帯端末２０では、例えば、図７に示すように、表示画面２０ａにアプリケーションに対応したアイコンのリストが表示される。そして、アイコンの選択操作によりその選択されたアイコンに対応するアプリケーションに従った画像表示がなされる。
【００４３】
個別表示モードでの画像表示に係る処理を行っている車載機器１００の処理ユニット１１は、前述した処理（Ｓ１７〜Ｓ１９）と同様に、携帯端末２０とのWifiによる通信が切断していないことを確認しつつ（Ｓ２５でＮＯ）、操作部１２（タッチ操作パネル）でなされたスライドタッチ操作がなされると（Ｓ２６でＹＥＳ）、そのスライド操作方向を演算する（Ｓ２７）。また、処理ユニット１１は、前述した処理（Ｓ２０、Ｓ２１）と同様に、携帯端末２０から送られてくるスライドタッチ操作を表す操作情報を取得すると（Ｓ２８）、その操作情報に基づいて携帯端末２０の表示画面２０ａ（タッチ操作パネル）上でなされたスライドタッチ操作の操作方向を演算する（Ｓ２１）。そして、処理ユニット１１は、前記操作部１２（タッチ操作パネル）でのスライドタッチ操作の操作方向（Ｓ２７で得られる）と、携帯端末２０から取得した操作情報から得られるスライドタッチ操作の操作方向（Ｓ２９で得られる）と、初期設定の処理（Ｓ１１）にて得られた相対位置情報とに基づいて、操作部１２（タッチ操作パネル）及び携帯端末２０の表示画面２０ａ（タッチ操作パネル）上において、例えば、図６の白抜き破線矢印で示すように、親指と中指による相互に近づく方向の対となるスライドタッチ操作である接近操作（第２操作）がなされたか否かを判定する（Ｓ３０：第２判定手段）。
【００４４】
この接近操作がなされると（Ｓ３０でＹＥＳ）、処理ユニット１１は、拡張示モードを設定し、即ち、前記個別表示モードを拡張表示モードに切換え（Ｓ３１：第２モード切換え手段）、その拡張表示モードの指示を通信ユニット２０を介して携帯端末２０に送る。携帯端末２０は、車載機器１００（通信ユニット１９）からの拡張表示モードの指示を受信すると、拡張表示モードを設定する、即ち、前記個別表示モードを拡張表示モードに切換える（Ｓ１５０）。
【００４５】
このようにして、車載機器１００及び携帯端末２０（機器システム）において個別表示モードから拡張表示モードに切換えられると、図２に示す処理に戻り、車載機器１００の処理ユニット１１及び携帯端末２０の双方において、拡張表示モードでの画像表示に係る処理が行われる（Ｓ１６、Ｓ１２０）。その結果、前述したのと同様に、例えば、図５に示すように、車載機器１００の表示部１３と携帯端末２０の表示画面２０ａとが、一体となって、２つの部分ナビゲーション画像ＩＮＡＶＩ（１）、ＩＮＡＶＩ（２）からなる一連のナビゲーション画像ＩＮＡＶＩを分担して表示する。
【００４６】
以下、同様にして、拡張表示モードであるときに、車載機器１００の操作部１２（タッチ操作パネル）及び携帯端末２０の表示画面２０ａ（タッチ操作パネル）上において、例えば、図６の白抜き実線矢印で示すように、相互に遠ざかる方向の対となるスライドタッチ操作である引き離し操作（第１操作）がなされると、前記拡張表示モードから個別表示モードに切換えられる。また、個別表示モードであるときに、車載機器１００の操作部１２（タッチ操作パネル）及び携帯端末２０の表示画面２０ａ（タッチ操作パネル）上にて、例えば、図６の白抜き破線矢印で示すように、相互に近づく方向の対となるスライドタッチ操作である接近操作（第２操作）がなされると、前記個別表示モードから拡張表示モードに切換えられる。
【００４７】
なお、例えば、車室内から携帯端末２０が持ち出される等で、車載機器１００と携帯端末２０とのWifiによる通信が切断されると（Ｓ１７でＹＥＳ、Ｓ、２５でＹＥＳ）、車載機器１００の処理ユニット１１は、新たなWifiによる通信の接続要求が通信ユニット１９にて受信されたか否かを繰り返し判定しつつ（Ｓ１３）、個別表示モードでの画像表示に係る処理を実行する。
【００４８】
上述したような機器システムによれば、相互に情報の送受がなされるように接続された車載機器１００と携帯端末２０とにおいて、拡張表示モードであるときに、車載機器１００の操作部１２（タッチ操作パネル）及び携帯端末２０の表示画面２０ａ（タッチ操作パネル）上での相互に遠ざかる方向の対となるスライドタッチ操作である引き離し操作（第１操作）がなされると、個別表示モードに切換えられ、また、個別表示モードであるときに、車載機器１００の操作部１２（タッチ操作パネル）及び携帯端末２０の表示画面２０ａ（タッチ操作パネル）上での相互に近づく方向の対となるスライドタッチ操作である接近操作（第２操作）がなされると、拡張表示モードに切換えられるので、車載機器１００と携帯端末２０とを連携させて情報を表示させることと（拡張表示モード）、車載機器１００と携帯端末２０とをとそれぞれ単独で機能させてそれぞれで情報を表示させることを分かり易い容易な操作にて相互に切り換えることができる。
【００４９】
なお、拡張表示モードでは、車載機器１００の表示部１２と携帯端末２０の表示画面２０ａとが、一連のナビゲーション画像ＩＮＡＶＩを分担して表示するようにしたが、これに限られない。拡張表示モードでは、車載機器１００の処理ユニット１１が、携帯端末２０に表示画面２０ａでの画像表示を行わせるように制御するものであればよく、例えば、車載機器１００の表示部１２に表示されたナビゲーション画像ＩＮＡＶＩの一部（例えば、交差点）を携帯端末２０の表示画面に拡大表示させても、また、車載機器１００の表示部１２に表示されたナビゲーション画像ＩＮＡＶＩと全く関係のない画像（例えば、映画などの動画像）を表示させてもよい。
【００５０】
また、拡張表示モードから個別表示モードに切換えるための操作（第１操作）は、車載機器１００の操作部１２（タッチ操作パネル）及び携帯端末２０の表示画面２０ａ（タッチ操作パネル）上において、例えば、図６の白抜き実線矢印で示すように、相互に遠ざかる方向の対となるスライドタッチ操作である引き離し操作に限らず、車載機器１００の操作部１２（タッチ操作パネル）及び携帯端末２０の表示画面２０ａ（タッチ操作パネル）上において対となる操作として予め定められた操作にて構成されるものであればよい。また、個別表示モードから拡張表示モードに切換えるための操作（第２操作）についても、前記拡張表示モードから個別表示モードに切換えるための操作（第１操作）異なるものでであって、作部１２（タッチ操作パネル）及び携帯端末２０の表示画面２０ａ（タッチ操作パネル）上において対となる操作として予め定められた操作にて構成されるものであればよい。
【００５１】
また、前述した機器システムは、車載機器１００とスマートフォン等の携帯端末２０（携帯情報処理機器）にて構成されるものであったが、これに限定されず、任意の２つの情報処理機器にて構成することができる。また、それら２つの情報処理機器は、Wifi等の無線での接続に限られず、有線にて接続されて相互に情報の送受を行うものであってもよい。
【産業上の利用可能性】
【００５２】
本発明に係る機器システムは、２つの機器を連携させて情報を表示させることと、２つの機器を単独で機能させて各機器に情報を表示させることとを容易に相互に切り換えることのできるという効果を有し、２つの機器が相互に情報の送受が可能なように接続された機器システムとして有用である。
【符号の説明】
【００５３】
１１  処理ユニット
１２  操作部
１３  表示部
１４  記憶部
１５  出力回路
１６  スピーカ
１７  ＡＶユニット
１８  ナビゲーションユニット
１９  通信ユニット
【図１】
2014219600.tif 000003
【図２】
2014219600.tif 000004
【図３】
2014219600.tif 000005
【図４】
2014219600.tif 000006
【図５】
2014219600.tif 000007
【図６】
2014219600.tif 000008
【図７】
2014219600.tif 000009